(57)【要約】【課題】レンズの回転を制御することができるレンズの回転機構を有する装置を提供する。【解決手段】駆動装置を設置するケース、例えば、カメラ、携帯電話或いはビデオカメラのケースと、前記ケースに設置され、かつ、少なくとも2個の連動部材を有するレンズの回転装置を含む。中でも、この2個連動部材のそれぞれは駆動装置とは接続し、2個の連動部材が駆動装置によって水平にと垂直に移動でき、レンズの回転機構を回転させる。【選択図】図２
0003125424.tif 000002
【実用新案登録請求の範囲】
【請求項１】
レンズの回転機構を有する装置であって、
駆動装置が設置されるケースと、
前記ケースに設置され、かつ、少なくとも2個の連動部材を有するレンズの回転装置であって、前記それぞれの連動部材は前記駆動装置とは接続し、前記2個の連動部材が前記駆動装置によって移動を行い、前記レンズの回転装置を回転させることを特徴とするレンズの回転機構を有する装置。
【請求項２】
前記ケースは撮影装置のケースであることを特徴とする請求項1に記載するレンズの回転機構を有する装置。
【請求項３】
前記撮影装置はカメラ、携帯電話或いはビデオカメラであることを特徴とする請求項2に記載するレンズの回転機構を有する装置。
【請求項４】
前記駆動装置は前記2個の連動部材をそれぞれ水平と垂直に移動し、前記レンズの回転装置を回転させることを特徴とする請求項１に記載するレンズの回転機構を有する装置。
【請求項５】
前記駆動装置には第一モーターと第二モーターを含み、且つ前記2個の連動部材のそれぞれは第一連動部材と第二連動部材で、前記第一モーターを前記ケースに設置すると共に、前記第一連動部材に接続し、前記第二モーターを前記第一連動部材に設置すると共に、前記第二連動部材に接続し、前記第一モーターが前記第一連動部材を連動でき水平/垂直に移動し、同時に前記第二モーターが前記第二連動部材を連動でき、水平/垂直に移動することを特徴とする請求項１に記載するレンズの回転機構を有する装置。
【請求項６】
前記連動部材がギヤチェーンであることを特徴とする請求項１に記載するレンズの回転機構を有する装置。
【請求項７】
前記レンズの回転装置にはさらにセンサー部材、フラッシュ、測光器、距離メーターを設置することを特徴とする請求項１に記載するレンズの回転機構を有する装置。
【請求項８】
前記ケースにはさらに駆動装置を制御し前記2個の連動部材を連動させ、それぞれに移動するための制御装置を設けることを特徴とする請求項１に記載するレンズの回転機構を有する装置。
【請求項９】
前記制御装置が手動の制御方法により前記駆動装置を制御し、且つ前記2個の連動部材を連動しそれぞれに移動させることを特徴とする請求項8に記載するレンズの回転機構を有する装置。
【請求項１０】
前記制御装置がプログラマーの制御方法により前記駆動装置を制御し、且つ前記2個の連動部材を連動しそれぞれに移動させることを特徴とする請求項8に記載するレンズの回転機構を有する装置。
【考案の詳細な説明】
【技術分野】
【０００１】
本考案はレンズの回転機構を有する装置に関し、特に、レンズの回転機構を有する装置の映像捕獲装置に関する。
【背景技術】
【０００２】
従来のカメラ、携帯電話或いはビデオカメラのレンズによって、一般的に回転不可の設計に属するものし、単一の方向のみを回転するものであり、例えば、台湾特許第２３４０４５号の記載する回転機構を参照し、図１に示すように、台湾特許第２３４０４５号がカメラに応用される傾斜の概略図である。図に示すように、カメラ２にレンズの回転装置４を設置し、カメラ２のレンズ６を矢印の通りに上下に回転させ、ユーザーが上下に異なる角度により撮影するようにする。
【０００３】
しかし、従来のカメラのレンズの設計はカメラが単一の方向のレンズを回転することを有しても、支持座がなく自分撮りをする場合は普通はカメラをテーブルに放置し或いはその時に簡単の支持体により撮影をする。しかし、このときに、放置するために用いられるテーブル或いは支持体はユーザーが撮影を必要とする高さ又は角度を提供できないため、撮影の対象物がカメラのレンズの撮影方向によって撮影をする。従って、従来のカメラにテーブル或いは任意の簡単の支持設備により支持し撮影をすることはできない。また、ユーザーは近距離で撮影をする場合は従来のカメラにより撮影の対象物にあうことが難しい。なお、従来のカメラにより広角の撮影をする場合はユーザーの自身の移動によりレンズの角度を変更する方法により広角の撮影を完成させるが、このような方法は撮影の誤差を招くことが容易である。
【０００４】
本考案は以上の問題点に鑑み、レンズの回転機構を有する装置を提供し、カメラのレンズをユーザーに応じて回転させる。
【考案の開示】
【考案が解決しようとする課題】
【０００５】
本考案の一の目的はレンズの回転機構を有する装置を提供し、レンズ、感知部材、フラッシュと測光器、距離メーターを回転装置に取り付け、これらの部材を回転装置を介して回転させる。
【０００６】
本考案の他の目的はレンズの回転機構を有する装置を提供し、それがカメラ、携帯電話或いはビデオカメラなどの撮影装置に応用される場合は撮影装置を物に自由に放置させ、且つ制御装置によりレンズを回転させ、撮影の対象物にあって撮影を行う。
【０００７】
本考案の他の目的はレンズの回転機構を有する装置を提供し、それが撮影装置に応用される場合は撮影装置のレンズをソフトウエアの制御を介し自動的に撮影物を追跡し撮影を行う。
【０００８】
本考案によって、レンズの回転機構を有する装置は駆動装置を設置するケース、例えば、カメラ、携帯電話或いはビデオカメラに用いられるケースと、前記ケースに設置され、かつ、少なくとも2個の連動部材を有するレンズの回転装置を含む。中でも、この2個連動部材のそれぞれはケースの駆動装置とは接続し、この2個の連動部材が駆動装置によって水平にと垂直へ移動でき、レンズの回転機構を回転させる。さらに、レンズの回転機構にモーターを2個有し、それは第一モーターと第二モーターであり、且つ、2個の連動部材はそれぞれ第一連動部材と第二連動部材であり、第一モーターをケースに実装し第一連動部材とは接続し、前記第二モーターを前記第一連動部材に設置すると共に、前記第二連動部材に接続し、前記第一モーターが前記第一連動部材を連動でき水平/垂直へ移動し、同時に前記第二モーターが前記第二連動部材を連動でき、水平/垂直へ移動する。なお、レンズの回転装置にはさらにセンサー部材、フラッシュ、測光器、距離メーターを設置する。
以下に、具体的な実施例と添付する図面により詳細に説明すると、より本考案の目的、技術内容、特徴及び達成する効果を容易に理解できる。
【考案を実施するための最良の形態】
【０００９】
以下、本発明の実施例について、図面を参照しながら説明する。
【実施例】
【００１０】
本考案はレンズが水平と垂直に移動することを制御する装置に関し、この装置は例えば、カメラ、携帯電話或いはビデオカメラのいずれかの撮影装置であり、以下にカメラを実施例として説明する。
【００１１】
図２は本考案に係る傾斜図である。図に示すように、カメラ８にカメラのケース１０とカメラのケース１０に設置されるレンズの回転装置１２を含む。中でも、レンズの回転装置１２にさらにレンズ１４、フラッシュ１６、測光器、距離メーター１８と感光素子（図示しない）を設置する回転装置本体２０を含み、且つ、２個の伝動部材を有し、それぞれは第一ギヤチェーン２２と第二ギヤチェーン２４をとして、且つギヤチェーン２２は２個の回転部２６により回転装置本体２０に設置し、回転装置本体２０が２個の回転部２６を支持点として水平に移動させ、また、カメラのケース１０に駆動装置をとしての第一モーター２８と第二モーター３０を設置し、かつ、第一モーター２８はカメラのケース１０に設置し同時にレンズの回転装置１２のギヤチェーン２２と接続し、第二モーター３０はレンズの回転装置１２のギヤチェーン２２に設置し同時にギヤチェーン２４と接続する。このほかに、図３を参照すると、ケース10にも制御ユニット（図示しない）と制御キー32からなる制御装置を設置し、それは第一モーター２８と第二モーター３０にそれぞれ接続し、ユーザーが制御キー32により手動の制御方法を利用し或いはソフトウェアによる制御方法に設定することにより第一モーター２８と第二モーター３０を制御でき、それぞれにギヤチェーン２２と第二ギヤチェーン２４を動かせるようになる。
【００１２】
また、図４と図５を参照すると、それぞれは本考案に係る断面の概略図と上端から見る概略図を示す。図に示すように、制御キー32を介しそれぞれに第一モーター２８と第二モーター３０を制御すると、第一モーター２８がギヤチェーン２２を連動させ矢印の向きに垂直の方向への移動とし、図４に示すように、同時に回転装置本体２０、第二ギヤチェーン２４と第二モーター３０を垂直の向きに移動させ、レンズ１４、フラッシュ１６、測光器、距離メーターと感光素子を同期に垂直に回転させ、また、第二モーター３０が第二ギヤチェーン２４を連動させ、矢印の向きによって水平方向への移動とし、図５に示すように、回転装置本体２０をギヤチェーン２２の２個の回転部を支持点とし、水平方向へ移動させ、レンズ１４、フラッシュ１６、測光器、距離メーターと感光素子を同期に垂直に回転さる。それ故に、カメラ８はそれぞれ第一モーター２８がギヤチェーン２２を連動させ垂直に移動することと、第二モーター３０が第二ギヤチェーン２４を連動させ水平に移動することによりレンズの回転装置１２を回転させる。
【００１３】
従って、ユーザーが自分撮りをする場合はカメラ８を支持柱に取付け、或いは何処でもの支持柱に放置することにより、レンズ１４がロケーションに合い、制御キー３２を介してユーザーが手動の制御方法を利用し第一モーター２８がギヤチェーン２２を連動させ垂直に移動することと、第二モーター３０が第二ギヤチェーン２４を連動させ水平に移動することを制御でき、回転のレンズ１４はレンズ１４が撮影ものに合わせて自分撮りをするため、本考案は支持柱を支持点として撮影をするものではなくて簡易のテーブル或いは任意の簡単の支持設備により支持し撮影をすることができる。また、ユーザーは制御キー32を介してそれをソフトウエアの制御方法に設定し、レンズ１４が撮影ものに自動的に追跡させ撮影をするようにする。例えば、人物を撮影する場合はレンズ１４を人物のフェースに自動的に追跡させ、確かに人物のフェースの表情を捕獲する。そこで、カメラ８は従来のカメラが撮影に合い難いという問題を発生しない。なお、カメラ８に内臓する映像合成のソフトウエアに合わせてユーザーが広角の撮影をする場合は、制御キー３２を介しレンズ１４の回転を制御し誤差がない広角の写真を撮ることができる。
【００１４】
しかし、以上に述べた実施例は、本考案の好ましい実施例であることに過ぎず、この実施例により本考案の特徴を説明する目的はこの分野を熟知する技術者が本考案の内容と実施を理解できることであり、且つ、本考案の特許範囲を限定するものではない。本考案の示す考えに大体において従い行う同等の変化、修飾は、本考案の特許請求項の範囲内にもちろん含まれる。
【図面の簡単な説明】
【００１５】
【図１】従来に係る傾斜図を示す概略図。
【図２】本考案に係る傾斜図を示す概略図。
【図３】本考案が別の角度から見る傾斜図を示す概略図。
【図４】本考案に係る側面を示す概略図。
【図５】本考案に係る平面を示す概略図。
【符号の説明】
【００１６】
２  カメラ
４  レンズの回転装置
６  レンズ
８  カメラ
１０  カメラケース
１２  レンズの回転装置
１４  レンズ
１６  フラッシュ
１８  測光器、距離メーター
２０  回転装置本体
２２  ギヤチェーン
２４  ギヤチェーン
２６  回転部
２８  第一モーター
３０  第二モーター
３２  制御キー
【図１】
0003125424.tif 000003
【図２】
0003125424.tif 000004
【図３】
0003125424.tif 000005
【図４】
0003125424.tif 000006
【図５】
0003125424.tif 000007